(57)【特許請求の範囲】
【請求項１】
長尺帯状のウエビングベルトの長手方向基端側が係止され、軸周り一方の巻取方向へ回転で前記ウエビングベルトを長手方向基端側から巻取って格納するスプールと、
前記スプールの軸方向一端側で前記スプールが直接又は間接的に連結されて前記スプールと共に一体的に回転すると共に、外周部において開口し、更に、回転軸方向及び回転中心から前記開口への向きの双方に対して直交する向き互いに対向する壁部を有する挿込部が形成され、前記開口から前記挿込部に挿し込まれたストッパが、前記壁部に干渉することで回転が規制されるアダプタと、
一端が前記アダプタに係止されて、前記アダプタが前記巻取方向とは反対の引出方向に回転することで付勢力が増加し、当該付勢力で前記アダプタを前記巻取方向に付勢する付勢手段と、
を備え、更に、前記挿込部の一方の前記壁部と他方の前記壁部との間の中央を、前記アダプタの回転中心から前記開口側へ、前記壁部の少なくとも一方に対して平行に延びる仮想線よりも前記巻取方向側にオフセットさせているウエビング巻取装置。
【請求項２】
前記挿込部における前記壁部のうち、前記引出方向側に位置する方を、前記仮想線上又は前記仮想線よりも前記巻取方向側に形成した請求項１に記載のウエビング巻取装置。
【請求項３】
前記挿込部の一方の前記壁部と他方の前記壁部とを平行に形成した請求項１又は請求項２に記載のウエビング巻取装置。
【発明の詳細な説明】
【技術分野】
【０００１】
本発明は、乗員の身体を拘束するウエビングベルトを渦巻きばね等の付勢手段の付勢力で巻取って格納するためのウエビング巻取装置に関する。
【背景技術】
【０００２】
下記特許文献１に開示されたウエビング巻取装置では、アダプタ（特許文献１では「軸体」と称している）のフランジ部の外周部からケース側へ立設された周壁に切欠部が形成されており、ストッパ（特許文献１では「ピン」と称している）のネックが切欠部に位置すると、ネック部の内側に周壁の切欠部における端部が入り込む。これにより、ゼンマイばねの付勢力によるアダプタの回転が規制される。
【先行技術文献】
【特許文献】
【０００３】
【特許文献１】実開平３−７６８７７号の公報
【発明の概要】
【発明が解決しようとする課題】
【０００４】
このような構成では、ストッパのネック部の内側に周壁の切欠部における端部が入り込んでいるため、ストッパを抜き取る際には、ストッパを引き抜く力でゼンマイばねの付勢力に抗して周壁の切欠部における端部を引出方向側に押圧して、アダプタを引出方向側に回転させなくてはならない。このため、ストッパにネック部を形成せずにストッパの幅方向両端を直線状とすることが好ましい。しかしながら、このように、ストッパの幅方向両端を直線状にすると、アダプタから受けるゼンマイばねの付勢力がストッパを切欠部から押し出すように作用することがあり、不用意にストッパが抜ける可能性がある。
【０００５】
本発明は、上記事実を考慮して、付勢手段の付勢力による不用意なストッパの抜けを防止又は抑制できるウエビング巻取装置を得ることが目的である。
【課題を解決するための手段】
【０００６】
請求項１に記載の本発明に係るウエビング巻取装置は、長尺帯状のウエビングベルトの長手方向基端側が係止され、軸周り一方の巻取方向へ回転で前記ウエビングベルトを長手方向基端側から巻取って格納するスプールと、前記スプールの軸方向一端側で前記スプールが直接又は間接的に連結されて前記スプールと共に一体的に回転すると共に、外周部において開口し、更に、回転軸方向及び回転中心から前記開口への向きの双方に対して直交する向き互いに対向する壁部を有する挿込部が形成され、前記開口から前記挿込部に挿し込まれたストッパが、前記壁部に干渉することで回転が規制されるアダプタと、一端が前記アダプタに係止されて、前記アダプタが前記巻取方向とは反対の引出方向に回転することで付勢力が増加し、当該付勢力で前記アダプタを前記巻取方向に付勢する付勢手段と、を備え、更に、前記挿込部の一方の前記壁部と他方の前記壁部との間の中央を、前記アダプタの回転中心から前記開口側へ、前記壁部の少なくとも一方に対して平行に延びる仮想線よりも前記巻取方向側にオフセットさせている。
【０００７】
請求項１に記載の本発明に係るウエビング巻取装置では、スプールの軸方向一端側にはアダプタが設けられ、このアダプタとスプールとが直接又は間接的に連結される。これにより、スプールとアダプタとが同軸的に一体回転する。さらに、スプールの一端側に設けられた付勢手段の一端はアダプタに係止され、ウエビングベルトをスプールから引出すことで、スプールと共にアダプタが引出方向に回転すると、付勢手段の付勢力が増加する。付勢手段はこの付勢力でアダプタを巻取方向に付勢し、間接的にスプールを巻取方向に付勢し、この付勢力でスプールが巻取方向に回転すると、スプールにウエビングベルトが巻取られる。
【０００８】
一方、スプールとアダプタとを連結する際には、アダプタを引出方向に回転させて付勢手段に巻取方向の付勢力を生じさせておく。このように付勢手段に付勢力が生じた状態で、挿込部におけるアダプタの外周部での開口からストッパが挿し込まれる。挿込部には、アダプタの回転軸方向及びアダプタの回転中心から挿込部の開口への向きの双方に対して直交する向きに対向する壁部が形成されており、挿込部に挿し込まれたストッパは、上記の壁部のうち、少なくとも引出方向側に位置する方に干渉する。これにより、付勢手段の付勢力によるアダプタの巻取方向への回転が規制され、付勢手段に付勢力が生じた状態で維持できる。
【０００９】
ここで、上述した挿込部において互いに対向する壁部の中央は、アダプタの回転中心から挿込部の開口側へ挿込部の壁部の少なくとも一方に対して平行に延びる仮想線よりも巻取方向側にオフセットされている。このため、壁部の中央と上記の仮想線とが一致している構成に比べると、アダプタに巻取方向への回転力が付与された際に、引出方向側の壁部がストッパを押圧する押圧力においてストッパを挿込部の外方へ押し出す向きの成分が少なくなるか、又は、このような成分がなくなる。これにより、付勢手段の付勢力で不用意にストッパが挿込部から抜け出ることを防止又は抑制できる。
【００１０】
請求項２に記載の本発明に係るウエビング巻取装置は、請求項１に記載の本発明において、前記挿込部における前記壁部のうち、前記引出方向側に位置する方を、前記仮想線上又は前記仮想線よりも前記巻取方向側に形成している。
【００１１】
請求項２に記載の本発明に係るウエビング巻取装置では、挿込部において互いに対向する壁部のうち、引出方向側に位置する方は、アダプタの回転中心と挿込部の開口とを通過する仮想線上又はこの仮想線よりも巻取方向側に形成される。このため、アダプタに巻取方向への回転力が付与された際に、引出方向側の壁部がストッパを押圧する押圧力においてストッパを挿込部の外方へ押し出す向きの成分がなくなる。これにより、付勢手段の付勢力で不用意にストッパが挿込部から抜け出ることを防止又は抑制できる。
【００１２】
請求項３に記載の本発明に係るウエビング巻取装置は、請求項１又は請求項２に記載の本発明において、前記挿込部の一方の前記壁部と他方の前記壁部とを平行に形成している。
【００１３】
請求項３に記載の本発明に係るウエビング巻取装置では、挿込部において互いに対向する一方の壁部と他方の壁部とは平行に形成される。ところで、引出方向側の壁部がストッパを押圧する押圧力の向きは壁部の形成位置におけるアダプタの回転接線方向である。したがって、このような引出方向側の壁部が上記の仮想線側に位置することで、ストッパを挿込部の外方へ押し出す向きの成分が少なくなるか、又は、このような成分がなくなる。これにより、付勢手段の付勢力で不用意にストッパが挿込部から抜け出ることを防止又は抑制できる。
【発明の効果】
【００１４】
以上、説明したように、本発明に係るウエビング巻取装置は、付勢手段の付勢力による不用意なストッパの抜けを防止又は抑制できる。
【図面の簡単な説明】
【００１５】
【図１】本発明の一実施の形態に係るウエビング巻取装置のスプリングカバーの開口側からスプリングシート及びアダプタを見た図である。
【図２】本発明の一実施の形態に係るウエビング巻取装置のスプリングシート及びアダプタの側面図である。
【図３】本発明の第１の実施の形態に係るウエビング巻取装置の全体構成を概略的に示す正面断面図である。
【図４】本発明の第１の実施の形態に係るウエビング巻取装置の要部と従来構造の要部とを比較する拡大断面図で、（Ａ）が第１の実施の形態を示し、（Ｂ）が従来構造を示す。
【発明を実施するための形態】
【００１６】
＜本実施の形態の構成＞
図３には、本発明の一実施の形態に係るウエビング巻取装置１０の構成が正面断面図により示されている。この図に示されるように、本ウエビング巻取装置１０はフレーム１２を備えている。フレーム１２は各々の厚さ方向に互いに対向する一対の脚板１４、１６を備えている。これらの脚板１４、１６の車両上方側の端部は背板１８により繋がっており、フレーム１２は全体的に背板１８からの脚板１４、１６の延出方向へ向けて開口した凹形状とされている。
【００１７】
また、図３に示されるように、フレーム１２の脚板１４と脚板１６との間にはスプール２０が設けられている。スプール２０は軸方向が脚板１４と脚板１６との対向方向に沿った略円柱形状に形成されている。このスプール２０には長尺帯状に形成されたウエビングベルト２２の長手方向基端側が係止されており、スプール２０がその中心軸線（図３の一点鎖線Ｃ１）周りの一方である巻取方向に回転すると、ウエビングベルト２２がその基端側からスプール２０に巻取られて格納され、ウエビングベルト２２をその先端側へ引っ張るとスプール２０に巻取られているウエビングベルト２２が引出されると共に上記の巻取方向とは反対の引出方向にスプール２０が回転する。
【００１８】
一方、スプール２０の軸方向一端部（脚板１６側の端部）にはロックベース２４が一体形成されている。ロックベース２４はスプール２０に対して同軸の円板形状とされている。このロックベース２４にはパウル収容部２６が形成されている。パウル収容部２６は少なくともロックベース２４の外周一部にて開口した孔部で、その内側にはロック機構２８を構成するロックパウル３０が収容されている。
【００１９】
このロックパウル３０はスプール２０の回転半径方向に沿って脚板１６に形成されたラチェット孔３２の内周部と対向しており、ロックパウル３０の先端側がパウル収容部２６から抜け出ると、ロックパウル３０に形成されたロック歯がラチェット孔３２のラチェット歯に噛み合う。このようにロックパウル３０のロック歯がラチェット孔３２のラチェット歯に噛み合うことでロックベース２４の引出方向への回転、ひいては、スプール２０の引出方向への回転が規制される。
【００２０】
一方、脚板１６の外側（脚板１６の脚板１４とは反対側）ではハウジング３４が脚板１６に取り付けられている。ハウジング３４は脚板１６側へ向けて開口した箱形状又は有底筒形状に形成されている。このハウジング３４の内側には、車両が減速した際の加速度が所定の大きさ以上の場合に作動する所謂「ＶＳＩＲ機構」やスプール２０の引出方向への回転加速度は所定の大きさ以上の場合に作動する所謂「ＷＳＩＲ機構」等を構成する各種部品が収容されている。
【００２１】
さらに、このハウジング３４にはスプール２０に対して同軸的にロックベース２４から突出形成された軸部が入り込んでおり、軸部の先端がスプール２０の中心軸線（図３の一点鎖線Ｃ１）周りに回転自在にハウジング３４に支持されている。
【００２２】
一方、スプール２０の軸方向他端（脚板１４側の端部）からはスプール２０の回転半径方向外方へ向けてフランジ部４２が延出されている。フランジ部４２は、スプール２０に対して同軸の円形に形成されている。このフランジ部４２が形成されたスプール２０の軸方向他端からは更に軸部４４が突出形成されている。この軸部４４の先端側は脚板１４に形成された貫通孔４６を貫通して脚板１４の外側へ突出している。
【００２３】
また、脚板１４の外側（脚板１４の脚板１６とは反対側）では脚板１４にスプリングカバー５２が取り付けられている。スプリングカバー５２は脚板１４側へ向けて開口した箱形状又は有底筒形状に形成されており、その開口端はスプリングシート５４により閉止されている。スプリングシート５４は厚さ方向がスプール２０の軸方向に沿ったベース部５６を備えている。このベース部５６の外周部からはスプール２０側へ向け周壁５８が延出されている。この周壁５８の外周形状は、スプリングカバー５２の内周形状に対応しており、周壁５８がスプリングカバー５２の内側に嵌り込むことでスプリングカバー５２の開口端が閉止される。
【００２４】
また、ベース部５６にはスプール２０に対して同軸の円孔６０が形成されている。この円孔６０の周縁からは内周形状が円孔６０の内周形状と同じ円筒形状のボス６２がスプール２０側へ向けて延出されている。
【００２５】
このスプリングシート５４とスプリングカバー５２の底部との間にはアダプタ７０が配置されている。アダプタ７０は、ばね係止部７２を備えている。ばね係止部７２はスプール２０に対して同軸の円柱形状に形成されており、スプリングカバー５２によってスプール２０に対して同軸的に回転自在に支持されている。このばね係止部７２の外側には付勢手段としての渦巻きばね７４が設けられている。渦巻きばね７４は、渦巻き方向外側端部がスプリングカバー５２の内側に形成された係止片７６に係止されていると共に、渦巻き方向内側端部がばね係止部７２に係止されている。渦巻きばね７４はアダプタ７０が引出方向に回転すると巻き締められ、これにより、アダプタ７０を巻取方向に付勢する付勢力が増加する。
【００２６】
ばね係止部７２のスプール２０側の端部には軸嵌挿部７８が形成されている。軸嵌挿部７８は外径寸法がばね係止部７２によりも小径の円柱形状で、ばね係止部７２に対して同軸的に形成されている。図１に示されるように、この軸嵌挿部７８には嵌挿孔８０が形成されている。嵌挿孔８０は内周形状が非円形とされており、軸嵌挿部７８におけるばね係止部７２とは反対側の面にて開口している。上記の軸部４４の少なくとも先端側は嵌挿孔８０に嵌挿可能な非円形とされており、軸部４４の先端側が嵌挿孔８０に挿し込まれることでスプール２０とアダプタ７０とが相対回転不能に繋げられる。
【００２７】
一方、図１に示されるように、アダプタ７０の軸嵌挿部７８には挿込部としての挿込孔８２が形成されている。図２に示されるように、挿込孔８２は軸嵌挿部７８の外周部で開口した矩形の孔とされている。図１に示されるように、挿込孔８２はアダプタ７０の軸方向に対して直交する向きに互いに対向する壁部としての側壁８４、８６を備えている。
【００２８】
側壁８４、８６のうち、相対的に引出方向側に位置する側壁８４の壁面は、アダプタ７０の中心を通過する仮想直線Ｌ１に対して平行で、しかも、仮想直線Ｌ１上に位置している。これに対して、側壁８４、８６のうち、相対的に巻取方向側に位置する側壁８６は壁面が上記の仮想直線Ｌ１と平行であるが、当然、側壁８６は仮想直線Ｌ１よりも巻取方向側に位置している。このため、側壁８４と側壁８６との間の中央は、仮想直線Ｌ１よりも巻取方向側にオフセットされている。
【００２９】
図１に示されるように、挿込孔８２に対応して、スプリングシート５４のベース部５６にはストッパ保持溝９２が形成されている。ストッパ保持溝９２は長手方向がボス６２を中心とする半径方向に沿った溝で、ベース部５６のスプール２０側の面にて開口している。このストッパ保持溝９２におけるベース部５６の外周部側の端部に対応して周壁５８には切欠９３が形成されており、ストッパ保持溝９２はスプリングシート５４の外周部でも開口している。
【００３０】
また、ストッパ保持溝９２のボス６２側の端部は、ボス６２に形成された貫通孔９４に繋がっている。図２に示されるように、貫通孔９４は挿込孔８２と同様の矩形の孔で、ボス６２の内周部及び外周部の双方で開口している。この貫通孔９４はアダプタ７０の軸方向に対して直交する向きに互いに対向する側壁９６、９８を備えている。
【００３１】
図１に示されるように、側壁９６、９８のうち、相対的に引出方向側に位置する側壁９６の壁面は、アダプタ７０の中心を通過する仮想直線Ｌ１に対して平行で、しかも、仮想直線Ｌ１上に位置している。これに対して、側壁９６、９８のうち、相対的に巻取方向側に位置する側壁９８は壁面が上記の仮想直線Ｌ１と平行であるが、当然、側壁９８は仮想直線Ｌ１よりも巻取方向側に位置している。このため、側壁９６と側壁９８との間の中央は、挿込孔８２の側壁８４、８６と同様に仮想直線Ｌ１よりも巻取方向側にオフセットされている。
【００３２】
上記のストッパ保持溝９２にはストッパ１００の基部１０２が嵌り込む。基部１０２は幅寸法がストッパ保持溝９２の内幅寸法に略等しい矩形の板状に形成されており、その長手方向先端からは挿込片１０４が延出されている。挿込片１０４は幅寸法が貫通孔９４の側壁９６と側壁９８との間隔及び挿込孔８２の側壁８４と側壁８６との間隔に等しく、基部１０２がストッパ保持溝９２に嵌め込まれた状態で貫通孔９４を貫通できるように形成されている。
【００３３】
さらに、基部１０２からの挿込片１０４の延出寸法は、貫通孔９４の長さ（ボス６２の外周部における貫通孔９４の端部からボス６２の内周部における貫通孔９４の端部までの長さ）よりも長く、貫通孔９４と挿込孔８２とが連通した状態では、ボス６２の内周部における貫通孔９４の端部から突出した挿込片１０４が挿込孔８２に入り込む。
【００３４】
＜本実施の形態の作用、効果＞
次に、本実施の形態の作用並びに効果について説明する。
【００３５】
本ウエビング巻取装置１０では、アダプタ７０とスプール２０の軸部４４とを連結する際には、スプリングカバー５２、アダプタ７０、渦巻きばね７４、及びスプリングシート５４が予め組み付けられる。スプリングカバー５２にアダプタ７０、渦巻きばね７４、及びスプリングシート５４が組み付けられると、アダプタ７０が引出方向に回転させられて、渦巻きばね７４に巻取方向への付勢力が生じさせられる。この状態では、スプリングシート５４の切欠９３からストッパ保持溝９２にストッパ１００が入り込み、ストッパ１００の基部１０２がストッパ保持溝９２に嵌り込むと、基部１０２をストッパ保持溝９２に案内させてボス６２の側へ移動させる。
【００３６】
このようにしてストッパ１００をボス６２の側へ移動させると、挿込片１０４が貫通孔９４に入り込む。この状態で、渦巻きばね７４の付勢力を維持したまま貫通孔９４と挿込孔８２とが対向させられ、貫通孔９４を通過した挿込片１０４が挿込孔８２に入り込む。この状態で、渦巻きばね７４の付勢力でアダプタ７０が巻取方向に回転しようとすると、ストッパ１００の挿込片１０４が挿込孔８２の側壁８４に干渉する。これにより、アダプタ７０の巻取方向への回転が規制され、渦巻きばね７４にて生じた付勢力が維持されたままアダプタ７０が保持される。この状態で、スプール２０の軸部４４がアダプタ７０に連結される。
【００３７】
ここで、図４の（Ａ）には、本実施の形態に係るウエビング巻取装置１０におけるアダプタ７０の挿込孔８２とその近傍部分の拡大断面図が示されており、図４の（Ｂ）には、図４の（Ａ）に対応した従来構造の図が示されている。なお、図４（Ｂ）は従来構造を説明する図であるが、符号が便宜上、本実施の形態と同一の符号を付与している。
【００３８】
図４（Ｂ）に示されるように、従来構造の場合、挿込孔８２の幅方向中央を上記の仮想直線Ｌ１が通過する。このため、挿込片１０４と挿込片１０４に対して引出方向側から接触する側壁８４は仮想直線Ｌ１よりも引出方向側に位置する。このため、挿込片１０４と側壁８４との接触位置は仮想直線Ｌ１に対して角度θだけ傾いている。
【００３９】
ここで、渦巻きばね７４の付勢力で側壁８４の壁面が挿込片１０４を押圧する押圧力Ｆの向きは、側壁８４と挿込片１０４との接触位置における接線方向となる。このため、このような従来構造の場合、側壁８４の壁面の向きに対して上記の角度θだけアダプタ７０の回転半径方向外方へ傾く。このように、押圧力Ｆが側壁８４の壁面の向きに対してアダプタ７０の回転半径方向外方へ傾いていることで、この押圧力Ｆは挿込片１０４を挿込孔８２から押し出そうとする。
【００４０】
これに対して、図４（Ａ）に示されるように、本実施の形態に係るウエビング巻取装置１０では、側壁８４と側壁８６との間の中央が仮想直線Ｌ１よりも巻取方向側にオフセットされ、側壁８４、８６のうち、相対的に引出方向側に位置する側壁８４の壁面が仮想直線Ｌ１上に位置している。上記のように、渦巻きばね７４の付勢力で側壁８４の壁面が挿込片１０４を押圧する押圧力Ｆの向きは、側壁８４と挿込片１０４との接触位置における接線方向となるが、側壁８４の壁面と挿込片１０４との接触位置が仮想直線Ｌ１上に位置していることで、押圧力Ｆの向きは仮想直線Ｌ１に対して直交し、押圧力Ｆの向きがアダプタ７０の半径方向外側へ傾かない。
【００４１】
これにより、側壁８４の壁面がストッパ１００の挿込片１０４に付与する押圧力が挿込片１０４を挿込孔８２から押し出すことがなく、挿込孔８２への挿込片１０４の挿込状態を良好に維持できる。
【００４２】
なお、本実施の形態では、側壁８４の壁面が仮想直線Ｌ１上に位置するように挿込孔８２を形成したが、側壁８４の壁面が仮想直線Ｌ１と平行な状態で側壁８４と側壁８６との間の中央が仮想直線Ｌ１よりも巻取方向側にオフセットされていれば、側壁８４の壁面と仮想直線Ｌ１とが一致しなくてもよい。すなわち、側壁８４の壁面が仮想直線Ｌ１と平行な状態で側壁８４と側壁８６との間の中央と、側壁８４との間を仮想直線Ｌ１が通過するように挿込孔８２を形成してもよいし、側壁８４の壁面が仮想直線Ｌ１と平行な状態で仮想直線Ｌ１が挿込孔８２よりも引出方向側を通過するように挿込孔８２を形成してもよい。
【符号の説明】
【００４３】
１０    ウエビング巻取装置
２０    スプール
２２    ウエビングベルト
７０    アダプタ
７４    渦巻きばね（付勢手段）
８２    挿込孔（挿込部）
８４    側壁
８６    側壁
１００    ストッパ
【図１】
0005539031.tif 000002
【図２】
0005539031.tif 000003
【図３】
0005539031.tif 000004
【図４】
0005539031.tif 000005